(57)【要約】      （修正有）【課題】ユーザフレンドリーに構成され、再現性のある結果を送出する比較光学的システムを提供することである。【解決手段】比較光学的システム１は第１と第２のマクロスコープ２ａ，２ｂからなり、ブリッジ３を介して相互に接続されている。第１のマクロスコープ２ａには第１のＸＹＺ台８ａが配属されており，第２のマクロスコープ２ｂには第２のＸＹＺ台８ｂが配属されている。第１のＸＹＺ台８ａと第２のＸＹＺ台８ｂよの間には制御・調整装置１４が設けられており、電動的に可動なＸＹＺ台８ａ，８ｂを同期して３つの空間方向すべてで運動させることができると共に、種々の機能を調整ないし変更することができる。【選択図】図１
2004151732.tif 000002
【特許請求の範囲】
【請求項１】
複数の画像記録光学的部分システムを備える比較光学的システム（１）であって、
前記光学的部分システムはブリッジ（３）を介して相互に接続されており、
該ブリッジは複数の画像記録光学的部分システムを機械的かつ光学的に相互に接続する形式のシステムにおいて、
各画像記録光学的部分システムは電動的に可動であり、被検試料の載置用のＸＹＺ台（８ａ，８ｂ）を有し、
電動的に可動なＸＹＺ台（８ａ，８ｂ）を３つすべての空間方向で運動させる制御ユニットが設けられていること
を特徴とする比較光学的システム。
【請求項２】
各画像記録光学的部分システムはマクロスコープ（２ａ，２ｂ）であること
を特徴とする請求項１に記載の比較光学的システム。
【請求項３】
各画像記録光学的部分システムは顕微鏡（３０ａ，３０ｂ）であること
を特徴とする請求項１に記載の比較光学的システム。
【請求項４】
２つの画像記録光学的部分システムが設けられており、当該部分システムは機械的かつ光学的にブリッジ（３）に結合されていること
を特徴とする請求項１〜３の何れか一項に記載の比較光学的システム。
【請求項５】
制御ユニットは制御・調整装置（１４）であり、マクロスコープ（２ａおよび２ｂ）に配属されていること
を特徴とする請求項１又は２に記載の比較光学的システム。
【請求項６】
制御ユニットは制御・調整装置（１４）であり、マクロスコープ（２ａおよび２ｂ）に配属されており、
それぞれ第１の微制御装置（１８ａ）が第１のマクロスコープ（２ａ）と接続されており、第２の微制御装置（１８ｂ）が第２のマクロスコープ（２ｂ）に接続されていること
を特徴とする請求項１又は２に記載の比較光学的システム。
【請求項７】
制御ユニットは微制御装置（１８ａ）を含み、第１の顕微鏡（３０ａ）に配属されており、
第２の微制御装置（１８ｂ）が第２の顕微鏡（３０ｂ）に配属されていること
を特徴とする請求項１〜３の何れか一項に記載の比較光学的システム。
【請求項８】
制御・調整装置（１４）は、第１のＸＹＺ台（８ａ）を調整するためのＸ操作素子（６２ａ）と、第２のＸＹＺ台（８ｂ）を調整するためのＸ操作素子（６２ｂ）と、第１のＸＹＺ台（８ａ）を調整するためのＹ操作素子（６４ａ）と、第２のＸＹＺ台（８ｂ）を調整するためのＹ操作素子（６４ｂ）と、第１のＸＹＺ台（８ａ）に対するＺ微調整部（６５ａ）と、第２のＸＹＺ台（８ｂ）に対するＺ微調整部（６５ｂ）を有すること
を特徴とする請求項５に記載の比較光学的システム。
【請求項９】
制御・調整装置（１４）は、２つのＸＹＺ台（８ａと８ｂ）を同期調整するためのオンオフスイッチ（６１）を有しており、
当該同期調整によりオンオフスイッチ（６１）が同期調整のためにスイッチオンされると、各Ｘ操作素子（６２ａ又は６２ｂ）、各Ｙ操作素子（６４ａ又は６４ｂ）、または各Ｚ微調整部（６５ａ又は６５ｂ）の操作に依存しないで、２つのＸＹＺ台（８ａおよび８ｂ）は同期移動可能であること
を特徴とする請求項８に記載の比較光学的システム。
【請求項１０】
第１の微制御装置（１８ａ）と第２の微制御装置（１８ｂ）は複数の操作素子（２４）を有しており、
第１の微制御装置（１８ａ）と第２の微制御装置（１８ｂ）の操作素子（２４）も同様にペアごとに同期化可能であること
を特徴とする請求項５又は６に記載の比較光学的システム。
【請求項１１】
第１の微制御装置（１８ａ）と第２の微制御装置（１８ｂ）は複数の操作素子（２４）を有しており、
第１の微制御装置（１８ａ）と第２の微制御装置（１８ｂ）の操作素子（２４）も同様にペアごとに同期化可能であること
を特徴とする請求項７に記載の比較光学的システム。
【請求項１２】
比較光学的システム（１）にはコンピュータユニット（２０）が配属されており、
該コンピュータユニットはＲ２３２ケーブルまたはＵＳＢケーブル（２１）を介して制御信号を比較光学的システム（１）に送出し、画像データまたは調整データを比較光学的システム（１）から受け取るよう構成されること
を特徴とする請求項１に記載の比較光学的システム。
【発明の詳細な説明】
【技術分野】
【０００１】
本発明は比較光学的システムに関する。とりわけ本発明は、複数の画像記録光学的部分システムを備えると共に、複数の画像記録光学的部分システムが１つのブリッジを介して相互に接続しており、該ブリッジが複数の画像記録光学的部分システムを機械的かつ光学的に相互に接続する形式の比較光学的システムに関する。
【背景技術】
【０００２】
標準対象物と被検体とを比較検査するための欠陥検査システムを記載している文献もある（特許文献１参照）。このシステムでは、被検体および標準対象物は共通の支持体上にあり、標準対象物も被検体も光学的手段を介して結像し、共に導かれる。これにより比較が可能である。
【０００３】
２つの類似する対象物を２つの対物レンズにより観察するための比較顕微鏡を記載している文献もある（特許文献２参照）。この比較顕微鏡には、２つの画像を比較観察するために共に導く装置が設けられている。２つの対物レンズはそれぞれ個別顕微鏡の一部であり、２つの画像を共に導くための装置としてビデオ（信号）混合装置が設けられている。ビデオ混合装置には、顕微鏡の画像を記録する２つのビデオカメラのビデオ信号が供給される。複数の顕微鏡台の同期調整は存在しない。
【０００４】
２つの対象物を同時に観察するように構成された比較光学装置を記載している文献もある（特許文献３参照）。この装置では、ブリッジは、顕微鏡により形成されたビーム路を共に導くための光学的手段を有する。ここで照明光は焦点合わせ鏡筒によってシステムに導入される。個々の対象物を１つまたは複数の台にどのように配置しなければならないかはこの文献には記載されていない。
【０００５】
上に述べた顕微鏡は相応のシステムにおいて、法的（ないし法医学的）比較検査を実行するために用いられ、比較顕微鏡または比較マクロスコープとして構成されている。もっとも知られた実施形態では、２つの個別顕微鏡ないしは２つの個別マクロスコープが使用され、これらはブリッジにより相互に接続されている。ブリッジには個別顕微鏡／個別マクロスコープにより形成された２つの個別画像を共に導くための装置が含まれている。ブリッジに配置された共通の鏡筒を通して、比較顕微鏡／膜色スコープの操作者は２つの異なる台に配置された対象物の画像を重ね合わせて観察することができる。２つの試料の相互に相応する部分領域をそれぞれ遮蔽することにより合成された画像が発生し、この画像により例えば一方の試料の半分を他方の試料の半分と直接的に比較することができる。
【０００６】
法的検証の場合、犯罪の解明のために第１の試料の画像と第２の試料の画像とを比較し、犯罪の経過についてより詳細な情報を得ることがしばしば必要である。
【０００７】
例えば武器の撃鉄により形成された薬包スリーブの痕跡を相互に比較し、２つまたはそれ以上の犯罪に同じ武器が使用されたか否かを検出する。
【０００８】
光学的比較検査の別の公知の適用は、文書、とりわけ紙幣の真正を検査し、偽札であるか否かを検出することである。
【０００９】
最後に犯罪の解明のために、例えば犯罪現場で発見された衣服の繊維を既知の衣服の繊維と比較し、犯人が犯行の際にどのような服装をしていたか推定することがしばしば必要である。
【００１０】
【特許文献１】ＤＥ３００６３７９
【特許文献２】ＤＥ４１０３４５７
【特許文献３】ＵＳ４４０３８３９
【発明の開示】
【発明が解決しようとする課題】
【００１１】
本発明の課題は、ユーザフレンドリーに構成され、再現性のある結果を送出する比較光学的システムを提供することである。
【課題を解決するための手段】
【００１２】
上記の課題を解決するために、本発明の一視点により、複数の画像記録光学的部分システムを備える比較光学的システムであって、前記光学的部分システムはブリッジを介して相互に接続されており、該ブリッジは複数の画像記録光学的部分システムを機械的かつ光学的に相互に接続する形式のシステムを提供する。この比較光学的システムにおいて、各画像記録光学的部分システムは電動的に可動であり、被検試料の載置用のＸＹＺ台を有し、電動的に可動なＸＹＺ台を３つすべての空間方向で運動させる制御ユニットが設けられていることを特徴とする。
【発明の効果】
【００１３】
本発明の独立請求項１により、所定の課題として掲げた効果が上述の通り達成される。即ち、本発明の比較光学的システムは、ユーザフレンドリーに構成され、かつ再現性のある結果を送出することができる（基本構成）。
更に、各従属請求項により、付加的な効果が後述の通りそれぞれ達成される。
【発明を実施するための最良の形態】
【００１４】
本発明の利点は、各画像記録光学的部分システムが１つの電動的に可動のＸＹＺ台（ＸＹＺ方向可動テーブル）を有し、この各ＸＹＺ台に被検試料が載置されることである。さらに制御ユニットが設けられており、この制御ユニットは電動的に可動なＸＹＺ台を同期して３つすべての空間方向で運動する。比較光学的システムがマクロスコープとして構成されている場合、制御ユニットは制御・調整装置として構成されており、これにはオンオフスイッチが設けられている。このオンオフスイッチを介してＸＹＺ台の同期調整をスイッチオン・オフすることができる。同期調整は、ＸＹＺ台の１つの運動方向に対する操作素子の操作の際に、２つのＸＹＺ台が正確に均等に同期して調整されるという利点を有する。同様にマクロスコープにそれぞれ１つの遠隔制御装置を配属することができ、この遠隔制御装置を台制御および焦点制御のために使用することができる。ここでは２つの遠隔制御装置の台制御および焦点制御を、同期運動が可能であるように切り替えることができる。比較光学的システムは同様に顕微鏡から構成することもできる。この場合、各顕微鏡に遠隔制御装置が接続される。この遠隔制御装置は、例えば遠隔制御装置の操作素子の操作によって、ＸＹＺ台の同期調整が可能であるように構成することができる。このＸＹＺ台のベースは顕微鏡架台に固定されている。被検対象物に存在する構造は、接眼レンズないしは接続されたカメラにより見ることのできる領域よりもしばしば次元的に大きい。対象物全体を比較することができるようにするため、２つのＸＹＺ台を同期してＸ方向、Ｙ方向、およびＺ方向にスライドしなければならない。同期調整によって、軸Ｘ、Ｙ、Ｚの各々に対してそれぞれ１つのＸ操作素子、またはＹ操作素子、またはＺ微調整により、２つのＸＹＺ台を同期してスライドすることができる。このことの利点は、被検対象物の評価が格段に改善されることである。同期化のための条件は、ＸＹＺ台の３つの軸が少なくとも電動化されていることである。
【００１５】
本発明のさらなる構成は従属請求項に記載されており、それらは特許請求の対象でもある。以下実施の形態を示す。
（２）  上記の比較光学的システムにおいて、各画像記録光学的部分システムはマクロスコープであることが好ましい（形態２）。
（３）  上記の比較光学的システムにおいて、各画像記録光学的部分システムは顕微鏡であることが好ましい（形態３）。
（４）  上記の比較光学的システムにおいて、２つの画像記録光学的部分システムが設けられており、当該部分システムは機械的かつ光学的にブリッジに結合されていることが好ましい（形態４）。
（５）  上記の比較光学的システムにおいて、制御ユニットは制御・調整装置であり、マクロスコープに配属されていることが好ましい（形態５）。
（６）  上記の比較光学的システムにおいて、制御ユニットは制御・調整装置であり、マクロスコープに配属されており、それぞれ第１の微制御装置が第１のマクロスコープと接続されており、第２の微制御装置が第２のマクロスコープに接続されていることが好ましい（形態６）。
（７）  上記の比較光学的システムにおいて、制御ユニットは微制御装置を含み、第１の顕微鏡に配属されており、第２の微制御装置が第２の顕微鏡に配属されていることが好ましい（形態７）。
（８）  上記の比較光学的システムにおいて、制御・調整装置は、第１のＸＹＺ台を調整するためのＸ操作素子と、第２のＸＹＺ台を調整するためのＸ操作素子と、第１のＸＹＺ台を調整するためのＹ操作素子と、第２のＸＹＺ台を調整するためのＹ操作素子と、第１のＸＹＺ台に対するＺ微調整部と、第２のＸＹＺ台に対するＺ微調整部を有することが好ましい（形態８）。
（９）  上記の比較光学的システムにおいて、制御・調整装置は、２つのＸＹＺ台を同期調整するためのオンオフスイッチを有しており、当該同期調整によりオンオフスイッチが同期調整のためにスイッチオンされると、各Ｘ操作素子、各Ｙ操作素子、または各Ｚ微調整部の操作に依存しないで、２つのＸＹＺ台は同期移動可能であることが好ましい（形態９）。
（１０）  上記の比較光学的システムにおいて、第１の微制御装置と第２の微制御装置は複数の操作素子を有しており、第１の微制御装置と第２の微制御装置の操作素子も同様にペアごとに同期化可能であることが好ましい（形態１０）。
（１１）  上記の比較光学的システムにおいて、第１の微制御装置と第２の微制御装置は複数の操作素子を有しており、第１の微制御装置と第２の微制御装置の操作素子も同様にペアごとに同期化可能であることが好ましい（形態１１）。
（１２）  上記の比較光学的システムにおいて、コンピュータユニット（ＰＣ）が配属されており、該コンピュータユニットはＲ２３２ケーブルまたはＵＳＢケーブルを介して制御信号を比較光学的システムに送出し、画像データまたは調整データを比較光学的システムから受け取るよう構成されることが好ましい（形態１２）。
【００１６】
本発明の実施例を図面を参照して詳細に説明する。なお、以下の実施例は、発明の理解の容易化のためであり、本発明の技術的思想を逸脱しない範囲において当業者により実施可能な修正・変更等を排除することを意図しない。また、特許請求の範囲に付した図面参照符号も発明の理解の容易化のためであり、本発明を図示の態様に限定することを意図しない。これらの点に関しては補正・訂正後においても同様である。
【実施例】
【００１７】
図１は、比較光学的システムを示す。この比較光学的システム１はこの実施例では、第１と第２のマクロスコープ２ａ，２ｂからなり、これらマクロスコープは画像記録光学的部分システムとして構成されている。機械的および光学的に第１と第２のマクロスコープ２ａ，２ｂはブリッジ３を介して相互に接続されている。ブリッジ３はユーザに対する視野４と、カメラ（図示せず）に対する接続部６を備える鏡筒５を有する。ユーザに対する視野４は旋回可能に構成されており、ユーザに対して人間工学的な作業位置を提供する。鏡筒５はさらに別の接続部７を有することができ、これを介して例えば第２のカメラ（図示せず）を接続することができる。第１のマクロスコープ２ａには第１のＸＹＺ台８ａが配属されている。第２のマクロスコープ２ｂには第２のＸＹＺ台８ｂが配属されている。第１および第２のＸＹＺ台８ａ，８ｂの上には共に、それぞれ比較すべき対象物（図示せず）が載せられる。比較マクロスコープでは対象物として、例えば銃弾や工具等が鑑定され、これにより残された痕跡を光学的に相互に比較し、評価する。このために通常の場合、画像が中央で次のように分割される。すなわち、左半分には第１のＸＹＺ台８ａ上に配置された対象物が、右半分には第２のＸＹＺ台８ｂ上に配置された対象物が観察されるように分割される。
【００１８】
ブリッジ３は第１および第２のＸＹＺ台８ａ，８ｂと共に柱１０にダブテール（鳩尾）形（断面の）案内部１１を介して取り付けられている。ブリッジ３はＺ方向に、ないしはＸＹＺ台８ａと８ｂの表面に対する高さを、柱１０のレベル調整により調整することができる。ブリッジ３の運動により、両方の台８ａと８ｂにあって、その構造を比較すべき対象物を粗調整することができる。柱１０自体は床部材１２と結合しており、床部材は柱１０よりも格段に幅広である。これは比較光学的システム１に対して十分な安定性と安全性を達成するためである。第１のＸＹＺ台８ａと第２のＸＹＺ台８ｂとの間には制御・調整装置１４が設けられている。この制御・調整装置を介して比較光学的システム１の種々の機能を調整ないし変更することができる。制御・調整装置１４は複数の操作素子（図３の説明参照）を有し、これらを介して比較光学的システム１の種々の機能を操作することができる。図１に示した制御・調整装置は異なる構成でも良いことはもちろんである。
【００１９】
２つのＸＹＺ台８ａ，８ｂは複数のモータ１６を介してＸ方向、Ｙ方向およびＺ方向で調整可能である。さらに比較光学的システム１には同様に第１と第２の遠隔制御装置１８ａ，１８ｂを配属することができる。第１と第２の遠隔制御装置１８ａ，１８ｂはこの実施例ではそれぞれケーブル１９を介して比較光学的システム１と接続されている。遠隔制御装置１８ａ，１８ｂの各々は比較光学的システム１の種々の電動的機能のためにそれぞれ割り当てることができる複数の操作素子２４を有する。接続は任意の技術的構成、例えば無線、赤外線等を取り得ることは自明である。比較光学的システム１には付加的にコンピュータユニット（ＰＣ）２０を配属することができ、コンピュータユニットはＲＳ２３２ケーブルまたはＵＳＢケーブル２１を介して制御信号を比較光学的システム１に送出し、画像データまたは調整データを比較光学的システム１から受け取る。画像データはユーザにモニタ２２上で表示される。モニタはコンピュータユニット２０に接続されている。同様にモニタ２２上でユーザに比較光学的システム１の瞬時の調整データを表示することができる。
【００２０】
図２は、比較光学的システム１の第２の実施例の斜視図である。この実施例では光学的部分システムが第１の顕微鏡と第２の顕微鏡３０ａ，３０ｂからなる。図１のエレメントに相応するエレメントには同じ参照符号が付してある。第１と第２の顕微鏡３０ａ，３０ｂはブリッジ３を介して相互に接続されている。各顕微鏡３０ａ，３０ｂは架台を有し、この架台はベース部分からなる。ベース部分３２は３つの主部分に分割されており、これらは横主部分３４，架台柱部分３６および架台脚部分３５から統合される。架台柱部分３６にはＸＹＺ台８ａないし８ｂが固定されている。各顕微鏡３０ａと３０ｂには透過光照明および投下（落射）光照明（両方とも図示せず）が設けられている。
【００２１】
架台脚部分３５は架台柱部分３６とは反対側の領域でコンベックス（凸状）に湾曲されており、コンベックスに湾曲された領域３７にディスプレイ４０を有する。ディスプレイ４０はタッチスクリーンとして構成することができ、これを介してユーザはパラメータを入力し、所定の測定法を呼び出すことができる。ディスプレイ４０がタッチスクリーンとして構成されていなければ、ディスプレイ４０を介してそれぞれの顕微鏡３０ａまたは３０ｂの瞬時の調整データを可視表示することができる。さらに各顕微鏡３０ａ，３０ｂにはそれぞれ１つの駆動ノブ４２が取り付けられており、この駆動ノブは各顕微鏡３０ａ，または３０ｂに配属されたＸＹＺ台８ａまたは８ｂの高さ（Ｚ方向）を調整する。駆動ノブ４２には付加的にさらに別の機能を配属することも考えられる。駆動ノブ４２の領域には複数の操作素子４４が設けられており、これらの操作素子を介して同様に顕微鏡機能を切り替えることができる。顕微鏡機能は例えばフィルタ交換、絞り交換、レボルバー運動等である。
【００２２】
ブリッジ３０は各顕微鏡３０ａと３０ｂの接続素子５０ａと５０ｂに固定されている。ブリッジ３は図１と同様に、ユーザに対する視野４とカメラ（図示せず）に対する接続部６を備える鏡筒５を有する。ユーザに対する視野４は旋回可能に構成されており、ユーザに対して人間工学的作業位置を提供する。２つのＸＹＺ台８ａまたは８ｂのレベル台８ａ，８ｂは複数のモータ１６を介してＸ方向、Ｙ方向、およびＺ方向に調整可能である。さらに比較光学的システム１には図１と同様に、第１と第２の遠隔制御装置１８ａ，１８ｂが配属されている。これらはそれぞれケーブル１９を介して比較光学的システム１またはコンピュータユニット２０と接続されている。もちろんこの接続も任意の技術的構成を取ることができ、例えば無線、赤外線等であっても良い。さらにコンピュータユニット２０にはディスプレイ２２が配属されている。
【００２３】
図３は、図１の制御・調整装置の詳細図である。この装置により比較光学的システム１のＸＹＺ台８ａと８ｂを同期して運動させることができる。制御・調整装置１４は複数の調整素子を比較光学的システム１に対して有する。制御・調整装置１４の端面側１４ａにはスイッチ６０が設けられており、このスイッチの操作により柱１０（図１）のレベル調整が行われる。このようにして、図１の比較光学的システム１のＸＹＺ台８ａまたは８ｂのレベル台８ａ，８ｂに存在する対象物への粗調整（焦点）を行うことができる。スイッチ６０のすぐ上には、２つのＸＹＺ台８ａ，８ｂの同期調整のためのオンオフスイッチ６１がある。スイッチ６０の左には第１のＸＹＺ台８ａをＸ方向に調整するためのＸ操作素子６２ａがある。スイッチ６０の右には第２のＸＹＺ台８ｂをＸ方向に調整するためのＸ操作素子６２ｂがある。Ｘ操作素子６２ａの上には照明系に対する調整素子６３ａが設けられており、これにより外部光源（図示せず）の光強度を変更することができる。同様にＸ操作素子６２ｂの上には照明に対する調整素子６３ｂがあり、これにより第２のＸＹＺ台８ｂに光が配向された外部光源（図示せず）の光強度を変更することができる。
【００２４】
図３には、制御・調整装置１４の第１の側面１４ｂだけに示されているが、第１の側面１４ｂには第２のＸＹＺ台８ｂをＹ方向に調整するためのＹ操作素子６４ｂがある。同様に第１の側面１４ｂには第２のＸＹＺ台８ｂをＺ方向に調整するためのＺ微調整部６５ｂが設けられている。第１のＸＹＺ台８ａに対するＺ微調整部６５ａは第２の側面１４ｃに設けられている。
【００２５】
制御・調整装置１４はさらにカバー面１４ｄを有し、このカバー面１４ｄには複数の操作素子７０，７１，７２，７３，７４，７５，７６が取り付けられている。これらの操作素子は画像表示を変更するために設けられている。操作素子７０は混合（重ね合せ）画像を形成するために用いられ、ここで第１のＸＹＺ台８ａにある対象物の画像が第２のＸＹＺ台８ｂにある対象物に重ね合わされる。操作素子７１は、第１のＸＹＺ台８ａにある対象物と第２のＸＹＺ台８ｂにある対象物との並置表示を形成するために用いられる。操作素子７２は第１のＸＹＺ台８ａにある対象物の画像を表示するために用いられる。操作素子７３は第２のＸＹＺ台８ｂにある対象物の画像を表示するために用いられる。操作素子７４は手動の絞り調整のために用いられる。操作素子７５は、絞りを手動で側方スライドするために用いられる。操作素子７６は表示すべき対象物を後から拡大するために用いられる。特に有利な実施例では、１〜５倍の倍率が設けられている。
【００２６】
２つのＸＹＺ台８ａ，８ｂの同期調整のためにオンオフスイッチ６１は操作素子の機能が次のように結合されるよう構成されている。すなわち以前は各個々のＸＹＺ台８ａと８ｂに対する独立したＸ操作素子６２ａと６２ｂ、Ｙ操作素子６４ａと６４ｂ、Ｚ微調整部６５ａと６５ｂが２つのＸＹＺ台８ａと８ｂへ同期して作用するように結合される。２つのＸＹＺ台８ａと８ｂが一度調整された後、被検構造体が比較される。この構造体は、接眼レンズないしは接続されたカメラにより観察される領域よりもしばしば次元的に大きい。対象物全体を比較できるようにするため、２つのＸＹＺ台８ａと８ｂを同期してＸ方向、Ｙ方向、およびＺ方向にスライドしなければならない。このことにより、それぞれ１つのＸ操作素子またはＹ操作素子、またはＺ微調整部により軸Ｘ、Ｙ、Ｚの各々に対して２つのＸＹＺ台８ａ，８ｂを同期してスライドすることができ、これにより被検対象物の評価が改善される。さらに比較光学的システム１全体の人間工学性が格段に改善される。同期化のための前提条件は、ＸＹＺ台８ａと８ｂの３つの軸が電動化されていることである。このことはブリッジ３により接続された顕微鏡２ａと２ｂ、またはマクロスコープ３０ａと３０ｂに対しても当てはまる。
【００２７】
マクロスコープ２ａ，２ｂに対する制御・調整装置１４の他に、マクロスコープには同様に第１の微制御装置１８ａと第２の微制御装置１８ｂが配属されている。マクロスコープ２ａ，２ｂまたは顕微鏡３０ａ，３０ｂを従来のように一度調整した後、キーないしコンピュータユニットからの命令により（ＲＳ２３２，ＵＳＢ等を介して）操作素子の機能が結合され、任意の操作素子またはＺ微調整部の１つを１つの方向のために操作すると、２つのＸＹＺ台が同期して移動される。次に例えば第２のＸＹＺ台８ｂのＸ操作素子６２ｂと第１のＸＹＺ台８ａのＸ操作素子６２ａを介して２つのＸＹＺ台８ａと８ｂを同期してＸ方向に走行させることができる。同じことがＹ方向とＸ方向の軸に対しても当てはまる。
【００２８】
これらの機能は、マクロスコープ２ａと２ｂが使用される比較光学的システム１の場合と同じように、組み込まれた電子回路によりスイッチオンすることができる。独立して機能する架台を有する２つの顕微鏡３０ａと３０ｂがブリッジ３により統合接続されていれば、ＸＹＺ台８ａと８ｂの電子的同期化はインタフェースないしコンピュータユニット２０を介して行われる。図２に示すように、第１の顕微鏡３０ａと第２の顕微鏡３０ｂにはそれぞれ第１の微制御装置１８ａと第２の微制御装置１８ｂが配属されており、これらは各ＸＹＺ台８ａと８ｂのＸ方向、Ｙ方向、およびＺ方向に対する操作素子２４を有する。マクロスコープ２ａと２ｂの場合と同じように、同期化によって顕微鏡３０ａと３０ｂの２つのＸＹＺ台８ａと８ｂをただ１つの微制御装置１８ａまたは１８ｂにより同期して制御することができる。
【図面の簡単な説明】
【００２９】
【図１】比較光学的システムの第１の実施例の斜視図。この実施例では光学的部分システムがマクロスコープとして構成されている。
【図２】比較光学的システムの第２の実施例の斜視図。この実施例では光学的部分システムが顕微鏡として構成されている。
【図３】比較光学的システムのＸＹＺ台を同期して運動させることのできる制御ユニットの詳細図。
【符号の説明】
【００３０】
１  比較光学的システム
２ａ，２ｂ  マクロスコープ
３  ブリッジ
４  視野
５  鏡筒
６、７  接続部
８ａ，８ｂ  ＸＹＺ台
９ａ，９ｂ  対象物
１０  柱
１２  床部分
１４  制御・調整装置
１６  モータ
【図１】
2004151732.tif 000003
【図２】
2004151732.tif 000004
【図３】
2004151732.tif 000005